(57)【要約】【課題】デザイン性に優れ、通常のパンティストッキングと同様に装着でき、夏の暑いシーズンに装着した場合でもムレの発生が少ないパンティ部を備え、そのパンティ部における臀部側は臀部の形状に沿ってフィットするとともに腹部側はずれ落ちることのないパンティストッキングを提供する。【解決手段】このパンティストッキング１は、上部のパンティ部２とその下方のストッキング部３とガーター部６とから構成され、パンティ部２は腹部側のボディ部５と臀部側のヒップ部７とから構成される。ボディ部５は、弾性糸によりニットとミスとを繰り返して編成されるコースと、非弾性糸によりニットとタックとを繰り返して編成されるコースとを含み、ヒップ部７は、弾性糸によりニットを繰り返して編成されるコースと、非弾性糸によりニットとタックとを繰り返して編成されるコースとを含む。【選択図】図１
2019044291.tif 000002
【特許請求の範囲】
【請求項１】
パンティ部とストッキング部とを含んで構成されるパンティストッキングであって、前記パンティ部は腹部側のボディ部と臀部側のヒップ部とで少なくとも構成され、前記ヒップ部の編み目が他の部位の編み目よりも粗く、かつ、前記ヒップ部の編み目が前記ボディ部の編み目よりも粗く、
前記パンティストッキングは、複数コースが一体的に緯編みされることにより編成され、
前記ボディ部は、
弾性糸によりニットとミスとを繰り返して編成されるコースと、
非弾性糸によりニットとタックとを繰り返して編成されるコースとを含み、
前記ヒップ部は、
弾性糸によりニットを繰り返して編成されるコースと、
非弾性糸によりニットとタックとを繰り返して編成されるコースとを含む
ことを特徴とする、パンティストッキング。
【発明の詳細な説明】
【技術分野】
【０００１】
本発明は、パンティストッキングに関し、特に、夏の暑いシーズンに装着した場合でもムレの発生が少ないパンティ部を備え、そのパンティ部における臀部側は臀部の形状に沿ってフィットするとともに腹部側はずれ落ちることのないパンティストッキングに関する。
【背景技術】
【０００２】
近年の生活習慣上、人が靴を履くときに足に装着する衣料としての靴下を多くの人々が使用している。そのような衣料の中で、特に、女性の下半身を覆うパンティストッキングは、外出時における女性の脚部の保護および保温さらには脚線美の向上の観点等から、広く世間に浸透している。
しかし、パンティストッキングを夏の暑いシーズンに装着すると、パンティ部でムレ等が発生し、心地よい装着感が得られないという欠点がある。また、近年のファッションも要因し、夏のシーズンにはパンティストッキングを装着しない女性も増えている。このようなパンティストッキング装着時のムレ感を解消するため、パンティストッキングのパンティ部の股部および両サイド部に円形状の開口部を設けたハンガータイプと呼ばれるパンティストッキングが提案されている。
【０００３】
このようなハンガータイプのパンティストッキングは、デザイン的に好ましくないこと、装着時に開口部に脚を挿入してしまうおそれがあり装着しにくいこと、という問題点がある。特に、デザイン的には、開口部を有するパンティ部がアウター（スカート等）で隠れるとしても、装着者が好感を抱くデザインではない。
そのため、本願出願人により、デザイン性に優れ、通常のパンティストッキングと同様に装着でき、夏の暑いシーズンに装着した場合でもムレの発生が少ないパンティストッキングが開発されて、特開２０１３−０５３３７９号公報（特許文献１）に開示されている。この特許文献１に開示されたパンティストッキングは、パンティ部とストッキング部とを含んで構成されるパンティストッキングであって、前記パンティ部は腹部側のボディ部と臀部側のヒップ部とで少なくとも構成され、前記ヒップ部の編み目が他の部位の編み目よりも粗いことを特徴とする。
【先行技術文献】
【特許文献】
【０００４】
【特許文献１】特開２０１３−０５３３７９号公報
【発明の概要】
【発明が解決しようとする課題】
【０００５】
上述した特許文献１に開示されたパンティストッキングによると、デザイン性に優れ、通常のパンティストッキングと同様に装着でき、夏の暑いシーズンに装着した場合でもムレの発生が少ない点で非常に好ましい。
しかしながら、この特許文献１においては、パンティストッキングにおけるヒップ部の編み目を他の部位の編み目よりも粗くする具体的な方法については開示がなく、ヒップ部において編み目の粗さを構成するための編み糸の選択および編み組織が適宜選択され、限定されるものではないと記載されているに過ぎない。
【０００６】
本願出願人は、特許文献１に開示されたパンティストッキングにおけるヒップ部の編み目を他の部位の編み目よりも粗くするという技術的特徴を具体的に実現して、臀部の形状に沿って編み目が伸びてフィットしやすく夏季でもムレないパンティストッキングの開発を鋭意進めた。その開発の過程において、この技術的特徴を単に実現しただけではパンティ部を構成する腹部側のボディ部がダレてウエストからパンティストッキングがずれ落ちる問題点が発生する可能性があることに着目して、具体的な編み糸および編み組織についての開発を鋭意進めた。
【０００７】
本発明は、従来技術の上述の問題点に鑑みて開発されたものであり、その目的とするところは、デザイン性に優れ、通常のパンティストッキングと同様に装着でき、夏の暑いシ
ーズンに装着した場合でもムレの発生が少ないパンティ部を備え、そのパンティ部における臀部側は臀部の形状に沿ってフィットするとともに腹部側はずれ落ちることのないパンティストッキングを提供することである。
【課題を解決するための手段】
【０００８】
上記目的を達成するため、本発明に係るパンティストッキングは以下の技術的手段を講じている。
すなわち、本発明に係るパンティストッキングは、パンティ部とストッキング部とを含んで構成されるパンティストッキングであって、前記パンティ部は腹部側のボディ部と臀部側のヒップ部とで少なくとも構成され、前記ヒップ部の編み目が他の部位の編み目よりも粗く、かつ、前記ヒップ部の編み目が前記ボディ部の編み目よりも粗く、前記パンティストッキングは、複数コースが一体的に緯編みされることにより編成され、前記ボディ部は、弾性糸によりニット○とミス×とを繰り返して編成されるコースと、非弾性糸によりニット○とタック△とを繰り返して編成されるコースとを含み、前記ヒップ部は、弾性糸によりニット○を繰り返して編成されるコースと、非弾性糸によりニット○とタック△とを繰り返して編成されるコースとを含むことを特徴とする。
【０００９】
好ましくは、前記ボディ部は、弾性糸によりニット○とミス×とを交互に繰り返して編成される弾性糸コースと、非弾性糸によりニット○とタック△とを３ニット○毎に１タック△を繰り返して編成される非弾性糸コースとを含むように構成することができる。
さらに好ましくは、前記ボディ部は、ウェール方向に、弾性糸コースが１コース毎に非弾性糸コースが３コース編成されるように構成することができる。
【００１０】
さらに好ましくは、前記ヒップ部は、弾性糸によりニット○を繰り返して編成される弾性糸コースと、非弾性糸によりニット○とタック△とを５ニット○毎に１タック△を繰り返して編成される非弾性糸コースとを含むように構成することができる。
さらに好ましくは、前記ヒップ部は、ウェール方向に、弾性糸コースが１コース毎に非弾性糸コースが３コース編成されるように構成することができる。
【００１１】
さらに好ましくは、前記弾性糸は、ポリウレタン弾性糸を芯糸としてナイロン糸を巻き付けたカバリング糸であって、前記非弾性糸は、ナイロン糸またはウーリーナイロン糸であるように構成することができる。
【発明の効果】
【００１２】
本発明のパンティストッキングによれば、デザイン性に優れ、通常のパンティストッキングと同様に装着でき、夏の暑いシーズンに装着した場合でもムレの発生が少ないパンティ部を備え、そのパンティ部における臀部側は臀部の形状に沿ってフィットするとともに腹部側はずれ落ちることのないパンティストッキングを提供することができる。
【図面の簡単な説明】
【００１３】
【図１】本発明の実施形態に係るパンティストッキングの編成状態を示す概略側面図である。
【図２】図１のパンティストッキングの装着状態を前（腹）側から見た斜視図である。
【図３】図１のパンティストッキングの装着状態を後（背中）側から見た斜視図である。
【図４】図１のパンティストッキングのボディ部の拡大図である。
【図５】図１のパンティストッキングのヒップ部の拡大図である。
【図６】図１のパンティストッキングの編み組織を説明するための図である。
【図７】図４のボディ部の編み組織の模式図である。
【図８】図５のヒップ部の編み組織の模式図である。
【発明を実施するための形態】
【００１４】
以下、本発明の実施形態に係るパンティストッキング１を、図面に基づき詳しく説明する。図１は、パンティストッキング１の編成状態の概略側面図であって、図２は、このパンティストッキング１の装着状態を前（腹部）側から見た斜視図であって、図３は、このパンティストッキング１の装着状態を後（背中）側から見た斜視図である。
これらの図に示すように、このパンティストッキング１は、全体が一体的に編成されるパンティストッキングであって、大略的には、上部のパンティ部２と、その下方のストッキング部３と、パンティ部２とストッキング部３との間のガーター部６とから構成されている。なお、このパンティストッキング１においては、パンティ部２は立体的に編まれ、ストッキング部３は平面的に編まれている。このパンティストッキング１は、左右一対の筒状編成体であって、公知の丸編み機等の編み機を用いて、通常のパンティストッキングと同じく、ポリウレタン等の弾性糸とナイロン等の非弾性糸とを組み合わせて編成される。
【００１５】
パンティ部２は、脚挿入口となるウエストバンド部４と、その下につながり前面側の大部分であって腹部を締めるボディ部５と、ボディ部５の後面側の大部分を占めるヒップ部７とから構成される。詳しくは、後述するように、一般的なパンティストッキングの同じ部位の編み目に対して、ボディ部５の編み目が粗く、ヒップ部７の編み目はさらに粗くなるように構成されている。
【００１６】
ストッキング部３は、大腿部８から膝部９およびふくらはぎ部１０を経てアンクル部１１に至るレッグ部１２と、アンクル部１１より先端側の足部１３とから構成される。足部１３は、つま先となるトウ部１４と、踵となるヒール部１５と、土踏まず部を含む足底となるソール部１６とから構成される。
以下、本実施形態に係るパンティストッキング１において特徴を備えるパンティ部２について詳しく説明する。
【００１７】
ウエストバンド部４は、パンティストッキング１のずり下がりを防止するともに装着時の着脱を可能とするような構成となるように糸の種類および編み組織が選ばれて編成されており、ボディ部５は、腹部周囲にフィットさせるべく伸縮性に富む構成となるように糸の種類および編み組織が選ばれて編成されている。なお、ボディ部５は、より強い締付圧を付与するような構成となるように糸の種類および編み組織が選ばれて編成されても構わない。ヒップ部７は、ボディ部５よりも締付圧を低くしてふくらみのある形状を出せるような構成となるように編み組織が選択されて編成されている。ヒップの丸みにあわせた着用を可能にすることにより、快適な着用感と、ウエストがズレ落ちるのを防止している。
【００１８】
なお、パンティ部２は、ボディ部５の前面中央部でウエストバンド部４から鼠蹊部に向けて略Ｖ字形領域を占めるように腹部締付部を配置するようにしても構わない。そして、この腹部締付部は、ボディ部５の前面中央部で腹部にボディ部５よりも強い締付圧を付与するような構成となるように糸の種類および編み組織が選ばれて編成されている。
特に、このパンティストッキング１で特徴的であるのは、パンティ部２の編成であって、ボディ部５およびヒップ部７の編み組織が少なくとも従来のパンティストッキングの編み組織よりも編み目が粗く構成されている点である。すなわち、このパンティストッキング１のボディ部５の編み組織における編み目が従来のパンティストッキングのボディ部の編み組織における編み目よりも粗く、このパンティストッキング１のヒップ部７の編み組織における編み目が従来のパンティストッキングのヒップ部の編み組織における編み目よりも粗い。ここで、編み目の粗さは、編み組織を基準に比較しているが、装着前の製品および装着時においても、編み組織を基準した場合と同様に、従来のパンティストッキングよりもこのパンティストッキング１の方が粗くなっている。
【００１９】
さらには、このように、ボディ部５およびヒップ部７の編み目が従来のパンティストッキングの同じ部位における編み目よりも粗いことに加えて、ボディ部５の編み目よりもヒップ部７の編み目がより粗くなるように構成されている。そして、ボディ部５の編み目は、ヒップ部７以外の他の部位の編み目よりも粗い。従って、このパンティストッキング１においては、ヒップ部７の編み目が最も粗く、ボディ部５の編み目が次に粗いことになる。なお、ボディ部５は、上述したように腹部の締め付け効果をも有する必要があるので、その効果を発現するとともに、上述した編み目の粗さになるように、糸の種類および編み組織が選ばれて編成されている。
【００２０】
図４にパンティストッキング１のボディ部５の拡大図を、図５にパンティストッキング１のヒップ部７の拡大図をそれぞれ示す。これらの図は、装着時のパンティストッキング
１を肉眼で観察した場合の編み目の状態を模式的に示している。
図４および図５に示すように、ヒップ部７の編み目は、ボディ部５の編み目よりも粗く、かつ、ボディ部５の編み目は他の部位の編み目よりも粗い。さらに、ヒップ部７の編み目およびボディ部５の編み目は、従来のパンティストッキングの同じ部位の編み目よりも粗い。このため、ヒップ部７およびボディ部５においては、従来のパンティストッキングよりも空気が流通しやすく、通気性がアップしている。その結果、夏の暑いシーズンにこのパンティストッキング１を装着した場合でもムレの発生を抑制することができる。特に、ヒップ部７の編み目がより粗くなっているので、このパンティストッキング１の装着者が椅子に座る等により、臀部の皮膚、下着、パンティストッキング１および椅子の座面が密着するが、装着者が椅子から立ち上がると、空気が流通してムレの発生を抑制することができる。
【００２１】
このような編み目の粗さを構成するための糸の選択および編み組織の選択は適宜行われるものであって、限定されるものではない。すなわち、従来のパンティストッキングの基本的な機能である女性の脚部の保護および脚線美の向上を発現しつつ、編み組織で判断しても、製品を見て判断しても、装着時を見て判断しても、従来のパンティストッキングの編み目より粗いように構成できるものであれば、糸の選択および編み組織の選択は限定されるものではない。
【００２２】
しかしながら、そのパンティ部２における臀部側（ヒップ部７）は臀部の形状に沿ってフィットするとともに腹部側（ボディ部５）はずれ落ちることのないパンティストッキング１とするためには、以下に説明するような（編み）糸および編み組織を選択することが好ましい。このような好ましい編み糸および編み組織について、図６〜図８を参照して説明する。ここで、図６はこのパンティストッキング１の編み組織を説明するための図であって、図７は図４に示したボディ部５の編み組織の模式図であって、図８は図５に示したヒップ部７の編み組織の模式図である。ここで、図７および図８における図中の「Ｃ」はコースを、「Ｗ」はウェールを、それぞれ意味する。
【００２３】
このパンティストッキング１は、複数コースが一体的に緯編みされることにより編成されている。
まず、編み組織について説明する。パンティ部２における腹部側のボディ部５は、図６および図７に示すように、弾性糸によりニット○とミス×とを繰り返して編成されるコースと、非弾性糸によりニット○とタック△とを繰り返して編成されるコースとを含んで編成されている。一方、パンティ部２における臀部側のヒップ部７は、図６および図８に示すように、弾性糸によりニット○を繰り返して編成されるコースと、非弾性糸によりニット○とタック△とを繰り返して編成されるコースとを含んで編成されている。
【００２４】
ここで、ニットを表す記号「○」、タックを表す記号「△」およびミスを表す記号「×」は、編み針の運動から見たときの編み目の形成のされ方を表しているもので、ニットとは、編み目を形成して編むことであり、タックとは、編み目をウェール方向に飛ばして編むことであり、ミスとは、編み目を形成しないで編むことである。
さらに詳しくは、ボディ部５は、弾性糸によりニット○とミス×とを交互に繰り返して編成される弾性糸コースと、非弾性糸によりニット○とタック△とを３ニット○毎に１タック△を繰り返して編成される非弾性糸コースとを含み、ウェール方向に、弾性糸コースが１コース毎に非弾性糸コースが３コース編成されている。一方、ヒップ部７は、弾性糸によりニット○を繰り返して編成される弾性糸コースと、非弾性糸によりニット○とタック△とを５ニット○毎に１タック△を繰り返して編成される非弾性糸コースとを含み、ウェール方向に、弾性糸コースが１コース毎に非弾性糸コースが３コース編成されている。
【００２５】
次に、編み糸について説明する。パンティ部２のボディ部５およびヒップ部７において用いられる、弾性糸はポリウレタン弾性糸を芯糸としてナイロン糸を巻き付けたカバリング糸であって、非弾性糸はナイロン糸またはウーリーナイロン糸である。
さらに具体的に採用した編み糸（使用原糸）は、図６〜図８に示すように、
・弾性糸コースを編成するカバリング糸は、ＳＣＹ（Ｓｉｎｇｌｅ  Ｃｏｖｅｒｅｄ  Ｙａｒｎ）１１０であって、芯糸が３３Ｔ（Ｔ：デシテックス）のポリウレタン弾性糸で捲糸が３３Ｔのウーリーナイロン糸であって、
・非弾性糸コースの第１コース（弾性糸コースに近いコース）を編成する非弾性糸は、３３Ｔのウーリーナイロン糸１２０（ＷＮ１２０）であって、
・非弾性糸コースの第２コース（非弾性糸コースにおいてウェール方向で第１コースに続くコース：弾性糸コースに遠いコース）を編成する非弾性糸は、３３Ｔのナイロン糸１３０（Ｎ１３０）であって（生糸）、
・非弾性糸コースの第３コース（非弾性糸コースにおいてウェール方向で第２コースに続くコース：弾性糸コースに近いコース）を編成する非弾性糸は、３３Ｔのウーリーナイロン糸１４０（ＷＮ１４０）である。
【００２６】
ここで、ＳＣＹ１１０においては捲糸に寡フィラのナイロン糸を採用することにより涼感がある糸使いとなるので、汗ばむ季節であってもドライタッチで爽やかな履き心地を実現することができる。また、細繊度のナイロン糸を採用することにより素脚のような透明感を実現することができる。
このように、前側のボディ部５においては、３×１ネット＋１×１ミスのメッシュ編みであって、後側のヒップ部７においては、５×１ネットのメッシュ編みであって、ヒップ部７は通常のメッシュ編みであるのに対して、ボディ部５はヒップ部７が備えない弾性糸コースにミス×を備える。このボディ部５が備える弾性糸コースのミス×が本発明に係るパンティストッキング１におけるさらなる具体的な技術的特徴ともいえる。この技術的特徴は図６の編み組織図における網掛け部分に対応するものである。なお、編み糸（糸使い）は前側のボディ部５と後側のヒップ部７とでは同じである。
【００２７】
このように、前側のボディ部５においてはミス×を備えるので、メッシュが引き締まって開口部が小さくなるが、後側のヒップ部７においてはミス×を備えないので、大きな開口部を維持している。このため、ヒップ部７においては大きな編み目（開口部）で編成されて大きく伸び縮みしてメッシュ編みが臀部の形状に沿いやすく、ボディ部５においては弾性糸のミス×によりメッシュ編みの編地が引き締まって編み目（開口部）が小さくなり伸び縮みが抑制されてッシュ編みが臀部の形状に沿いやすく、ボディ部５がダレてしまうことがなくウエストからパンティストッキング１がずれ落ちてしまうことを抑制することができる。すなわち、パンティ部２において、臀部の形状に容易に合致するように開口部が大きくなるように（後側のみならず前側も）メッシュ編みして（ムレないようにして）、かつ、前側がダレる（ずれ落ちる）ことを防ぐためミス×を入れて開口部を小さくしている。
【００２８】
その結果、デザイン性に優れ、通常のパンティストッキングと同様に装着でき、夏の暑いシーズンに装着した場合でもムレの発生が少ないパンティ部２を備えることができることに加えて、そのパンティ部２における臀部側は臀部の形状に沿ってフィットするとともに腹部側はダレてウエストからパンティストッキングがずれ落ちる問題点を解決することができる。
【００２９】
特に、パンティ部２の全体（ボディ部５およびヒップ部７）を通気性に優れたメッシュ編みでムレにくくして、かつ、ボディ部５とヒップ部７とで異なるメッシュ編みとして、かつ、パンティ部２を立体形状に編成したために（いわゆるエアースルーメッシュ設計としたために）、パンティストッキング１のパンティ部２の腹部側はずれ落ちることなく臀部側は良く伸びて臀部形状にフィットするので、履き心地が良く着用して快適なパンティストッキングを提供することができる。
【００３０】
以上のようにして、本実施形態に係るパンティストッキング１によると、パンティ部の編み目の粗さを粗くしたので、従来のパンティストッキングの機能を維持しつつ、従来のパンティストッキングよりも通気性がよくムレを抑制できる。さらに、パンティ部における臀部側は臀部の形状に沿ってフィットするとともに腹部側はずれ落ちることを抑制することができる。
【００３１】
なお、今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図
される。
たとえば、吸汗性を備えるように糸および編み組織が選択されていたり、紫外線カットを備えるように糸が選択されていたり、伝線にしにくいように糸および編み組織が選択されていたりしていることも好適である。
【産業上の利用可能性】
【００３２】
本発明は、夏の暑いシーズンに装着した場合でもムレの発生を防止するパンティストッキングに好適であり、パンティ部における臀部側は臀部の形状に沿ってフィットするとともに腹部側はずれ落ちることのないパンティストッキングに特に好適である。
【符号の説明】
【００３３】
１  パンティストッキング
２  パンティ部
３  ストッキング部
４  ウエストバンド部
５  ボディ部
６  ガーター部
７  ヒップ部
８  大腿部
９  膝部
１０  ふくらはぎ部
１１  アンクル部
１２  レッグ部
１３  足部
１４  トウ部
１５  ヒール部
１６  ソール部
１１０  ＳＣＹ
１２０  ウーリーナイロン糸（ＷＮ）
１３０  ナイロン糸（Ｎ）
１４０  ウーリーナイロン糸（ＷＮ）
【図１】
2019044291.tif 000003
【図２】
2019044291.tif 000004
【図３】
2019044291.tif 000005
【図４】
2019044291.tif 000006
【図５】
2019044291.tif 000007
【図６】
2019044291.tif 000008
【図７】
2019044291.tif 000009
【図８】
2019044291.tif 000010